(57)【特許請求の範囲】
【請求項１】
左右後輪（１Ｒ，１Ｒ）の前方から上方をフェンダー（２）にて覆い、このフェンダー（２）にスイッチ（３）を取り付ける作業車両において、前記フェンダー（２）は前記後輪（Ｒ１）の前方から上方を覆う湾曲形状とした前フェンダー部（２ａ）と後輪（Ｒ１）の上方から後方の一部を覆う円弧状の後フェンダー部（２ｂ）とからなり、前フェンダー部（２ａ）の後端を後フェンダー（２ｂ）の前端に嵌合して連結する構成とすると共に、前記フェンダー（２）をブロー成形するにあたり、前記フェンダー（２）の裏面に前後に所定幅を有し且つ後方へ向かって下がる傾斜状の凹部（４）を形成し、この凹部（４）の後端部に開口穴（５）を設けると共に、前記開口穴（５）の縁部にスイッチ（３）周囲の溝部（３ａ）を嵌合することによりフェンダー（２）に前記スイッチ（３）を取り付け、前記フェンダー（２）のスイッチ（３）の側方に、該スイッチ（３）の押し込み面（３ｂ）と略同高さ面を有した凸部（９）を形成し、前記凹部（４）内に前記スイッチ本体及びスイッチの配線（６）を収納し、前記フェンダー（２）の裏面形状に沿わせた蓋体（７）にて覆う構成としたことを特徴とする作業車両。
【請求項２】
フロア（３０）の前部左右に前支柱（３１，３１）を立設し、左右リヤアクスルケース（１６，１６）上に後支柱（３２，３２）を立設して、これら支柱（３１，３２）の前後左右間にフロントガラス（２４）、リヤガラス（３３）、及びドア（３４）を設けてキャビン（２０）を構成し、該キャビン（２０）内に操縦席（２１）を設け、前記操縦席（２１）の右側にレバーガイドボックス（３８）を、操縦席（２１）の左側に前記右側のレバーガイドボックス（３８）の対象位置で前記フェンダー（２）に沿って湾曲したパネル部材（３９）を設け、このパネル部材（３９）の前面には、キャビン（２０）昇降用のハンドキャッチャー（４２）を取り付け、前記前フェンダー（２ａ）の前面に、前記ハンドキャッチャー（４２）を掴んだときに、オペレータの肘が接触することを避ける回避用凹部（４３）を形成する請求項１に記載の作業車両。
【発明の詳細な説明】
【０００１】
【発明の属する技術分野】
この発明は、農業用トラクタや芝刈機、建築、運搬用の作業車両に関し、特にフェンダー部に取り付ける各種スイッチの取付構造に関する。
【０００２】
【従来の技術】
従来、農業用トラクタには、左右後輪の前方から上方をフェンダーにて覆い、このフェンダー後部に作業機昇降用スイッチや作業機ローリング用スイッチ等を取り付けるものが知られている。
【０００３】
そして前記スイッチを取り付けるフェンダーは、一般に金属製のプレート部材を折り曲げたり、溶接して形成する構成となっている。
【０００４】
【発明が解決しようとする課題】
しかしながら、前記フェンダーを金属製プレートにて構成すると、特に大型車両の場合に重量が大きく生産組付時に取扱性が悪かったり、前記重量や作業時の負荷による折れ曲がりを防止すべく補強用リブや補強部材を加工する工数が生じ生産コストがかかるという課題があった。
【０００５】
また、前記折り曲げ部や補強用リブ等を設けた場合は、フェンダー表面に凹凸が現れる為、草木が引っ掛かったり、泥土が付着し易かったり、デザイン上美観を損ねるという課題があった。そこで、前記フェンダーを樹脂材によりブロー成形で構成することが考えられるが、このとき(1)強度を保つこと、(2)外形を極力平坦に構成すること、を兼ね備えた形状が望まれる。
【０００６】
【課題を解決するための手段】
この発明は前記課題に鑑みて、作業車両のフェンダー部スイッチ取付構造を以下のように構成した。即ち、請求項１の発明では、左右後輪（１Ｒ，１Ｒ）の前方から上方をフェンダー（２）にて覆い、このフェンダー（２）にスイッチ（３）を取り付ける作業車両において、前記フェンダー（２）は前記後輪（Ｒ１）の前方から上方を覆う湾曲形状とした前フェンダー部（２ａ）と後輪（Ｒ１）の上方から後方の一部を覆う円弧状の後フェンダー部（２ｂ）とからなり、前フェンダー部（２ａ）の後端を後フェンダー（２ｂ）の前端に嵌合して連結する構成とすると共に、前記フェンダー（２）をブロー成形するにあたり、前記フェンダー（２）の裏面に前後に所定幅を有し且つ後方へ向かって下がる傾斜状の凹部（４）を形成し、この凹部（４）の後端部に開口穴（５）を設けると共に、前記開口穴（５）の縁部にスイッチ（３）周囲の溝部（３ａ）を嵌合することによりフェンダー（２）に前記スイッチ（３）を取り付け、前記フェンダー（２）のスイッチ（３）の側方に、該スイッチ（３）の押し込み面（３ｂ）と略同高さ面を有した凸部（９）を形成し、前記凹部（４）内に前記スイッチ本体及びスイッチの配線（６）を収納し、前記フェンダー（２）の裏面形状に沿わせた蓋体（７）にて覆う構成としたことを特徴とする作業車両とした。
【０００７】
また請求項２の発明では、フロア（３０）の前部左右に前支柱（３１，３１）を立設し、左右リヤアクスルケース（１６，１６）上に後支柱（３２，３２）を立設して、これら支柱（３１，３２）の前後左右間にフロントガラス（２４）、リヤガラス（３３）、及びドア（３４）を設けてキャビン（２０）を構成し、該キャビン（２０）内に操縦席（２１）を設け、前記操縦席（２１）の右側にレバーガイドボックス（３８）を、操縦席（２１）の左側に前記右側のレバーガイドボックス（３８）の対象位置で前記フェンダー（２）に沿って湾曲したパネル部材（３９）を設け、このパネル部材（３９）の前面には、キャビン（２０）昇降用のハンドキャッチャー（４２）を取り付け、前記前フェンダー（２ａ）の前面に、前記ハンドキャッチャー（４２）を掴んだときに、オペレータの肘が接触することを避ける回避用凹部（４３）を形成する請求項１に記載の作業車両とした。
【０００８】
【０００９】
【００１０】
【００１１】
【００１２】
【発明の作用】
以上のように構成した作業車両のフェンダー部のスイッチは、凹部（４）によってスイッチ（３）取付けによる局部的な突起が低減されフェンダー面が平坦となる。
【００１３】
また凸部（９）によってスイッチ（３）取付けによる局部的な突起が低減されフェンダー面が平坦となる。
【００１４】
【発明の効果】
よって請求項１の発明では、凹部（４）が補強用リブとしての機能を備え、ブロー成形したフェンダー（２）にかかる力に対して強度を維持することができると共に、この凹部（４）内にスイッチ（３）が取り付けられることで、フェンダー（２）面に凹凸が形成されることを抑制し、草木の引っ掛かり或いは泥土の付着を抑制することができる。
【００１５】
またスイッチ（３）本体或いは配線（６）による凹凸を無くし、前述同様、フェンダー面に凹凸が形成されることを抑制し、草木の引っ掛かり或いは泥土の付着を抑制することができる。また前記スイッチ（３）周囲の溝部（３ａ）と前記開口穴（５）の縁部を嵌合することで、前記洗浄水や雨水等の水が浸入することを極力防止して、前記スイッチに関する金属部材が錆びることを防止できる。
【００１６】
また更に、凸部（９）が補強用リブとしての機能を備え、フェンダー（２）にかかる力に対しての強度を維持することができると共に、この凸部（９）側方にスイッチ（３）を取り付けることで、フェンダー（２）面に凹凸が形成されることを抑制し、草木の引っ掛かり或いは泥土の付着を抑制でき、車体の美観を損ねることも防止できる。
【００１７】
また前記フェンダー（２）面にスイッチ（３）の押圧面（３ｂ）が突出し、草木や衣類等が接触して不意に作動部が動き出すことを防止することができる。
さらに、請求項２に記載の発明は、前記の請求項１に記載の効果に加え、前記ハンドキャッチャー（４２）を掴んだときに、前フェンダー部（２ａ）に形成した回避用凹部（４３）によりオペレータの肘が接触することを避けることができる。
【００１８】
【発明の実施の形態】
以下、この発明を作業車両である農業用トラクタＴに関し、この後部に取り付けるロータリ作業機Ｒを昇降操作するスイッチ３の取付構造について説明する。トラクタＴは、図５に示すように、車体前部にエンジン１０の取付用フレーム１１を配し、このフレーム１１間にプレート部材を架渡してラジエータ、バッテリ等を載置する構成となっている。そしてこれらエンジン等の前方をフロントグリル１２で覆うと共に、上方と左右両側部を天板１３ａ及びサイドネット１３ｂから成るボンネット１３にて覆う構成となっている。
【００１９】
また前記エンジン取付用フレーム１１の下部には、左右前輪１Ｆ，１Ｆを支持するフロントアクスルケースを設け、この前輪１Ｆ，１Ｆをステアリングハンドル１４の回転操作により左右操舵する構成となっている。また、前記エンジン１０の後部には、クラッチを内装するクラッチハウジング、変速装置を内装するミッションケース１５を順に連結すると共に、ミッションケース１５後部に後輪１Ｒ，１Ｒを支持するリヤアクスルケース１６を連結する構成となっている。
【００２０】
また前記クラッチハウジングとミッションケース１５の上方には、後述するキャビン２０を構成し、操縦席２１の周囲を取り囲む構成となっている。ここで前記ボンネット１３の天板１３ａ及びサイドカバー１３ｂとキャビン２０の接続部について説明する。
【００２１】
ボンネット１３の天板１３ａの後端部は、図６に示すように、折曲部２２を形成し、この折曲部２２にゴム製のシール部材２３（ウェザーストリップ）を装着して、後方のキャビンフロントガラス２４に当接する構成となっている。そして前記シール部材２３は、前記折曲部２２を挟む挟持部２３ａを硬質ゴムにて構成し、内部に金属製プレート２５を埋め込む構成となっている。また挟持部２３ａの奥部には、滑り止め用の複数のフィン２３ｂ…を挟持部奥側に向かって形成すると共に、同挟持部２３ａの一側の開放側先端部には突起部２３ｃを形成し、前記ボンネット１３の天板１３ａの面とシール部材２３の面とを面一状としている。
【００２２】
これにより、前記ボンネット１３の天板１３ａとキャビン２０との接続個所をウレタン等、発泡素材を接着剤により接着する構成と比較して、車体の美観を損ねることも無く、前記シール部材２３を折曲部２２にずれ無く保持することができる。
【００２３】
また、前記シール部材２３の挟持部２３ａ一側面には、リング状で且つ前記挟持部２３ａよりも軟質のゴムで構成された当接部２３ｄが形成されている。これにより、トラクタＴの走行中などに前記フロントガラス２４が前記硬質ゴムの挟持部２３ａに直接当接して振動、騒音を起こすといった課題を防止することができる。
【００２４】
尚、前記シール部材２３は、前記同様、サイドカバー１３ｂ後端部の折曲部にも取り付けられ、フロントガラス２４に当接する構成となっている。次にトラクタＴのキャビン２０及びキャビン２０内の操縦席２１について説明する。
【００２５】
トラクタＴのキャビン２０は、フロア３０の前部左右に前支柱３１，３１を立設し、左右リヤアクスルケース１６，１６上に後支柱３２，３２を立設して、これら支柱３１，３２の前後左右間にフロントガラス２４、リヤガラス３３、或いはドア３４を設けると共に、上方を覆うルーフ３５で覆う構成となっている。
【００２６】
また、前記フロア３０の後端部は、同フロア３０面よりも一段底上げしたシートパネル３６を連続して形成すると共に、このシートパネル３６上に操縦席２１を支持し、操縦席２１右側で且つオペレータ肘部に位置する個所に凹部３７を形成したレバーガイドボックス３８を、操縦席２１左側に、図７及び図８に示すように、前記右側のレバーガイドボックス３８の左右対称位置で、前記フェンダー２に沿って湾曲したパネル部材３９を設ける構成となっている。
【００２７】
また前記パネル部材３９の操縦席２１の肘掛部側方には、テーブル面３９ａとカップフォルダー３９ｂ、工具などを収納する収納ボックス３９ｃを形成し、また操縦席２１の座面側方に位置するパネル部材側面には、車体外方向へ向かって窪む凹部４０を形成し、この凹部４０をネット４１で覆って小物入れを構成している。また更に同パネル部材３９の前面には、キャビン乗降用のハンドキャッチャー４２を複数の樹脂製ビスにより取り付ける構成となっている。
【００２８】
尚、前記図５中のフェンダー２前面に位置する符号４３は、前記ハンドキャッチャー４２を掴んだときに、オペレータの肘がキャビン側形成された既成のフェンダーに接触することを避けるための回避用凹部を示す。一方、前記操縦席２１右側に位置するレバーガイドボックス３８は、図９に示すように、凹部３７の底面４５前方に前方へ向かって傾斜する傾斜面４６を設け、傾斜面４６の前部外側に走行用変速レバー４７のガイド穴４７ａを、前部内側に前記作業機Ｒを昇降操作するポジションレバー４８のガイド穴４８ａを開口すると共に、変速レバー４７のガイド穴４７ａ後方に変速スイッチ４９を、前記ポジションレバー４８のガイド穴４８ａ後方に作業機昇降スイッチ５０及び下げ位置規制設定器５１を設けている。
【００２９】
また、前記凹部３７の底面４５には、各種スイッチを収納するスイッチケース５２が埋設され、このケース５２の上蓋５３にゴム製ラバーを取り付けオペレータの肘置部としている。尚、前記スイッチボックス内には、図１０に示すように、左側から順に、上げ位置規制設定器６５、作業機下降時減速位置設定器６６、（ローリング制御自動時）傾き調整器６８Ａ、ローリング制御モード設定器６７、（ローリング制御手動時）傾き調整器６８Ｎ、そして、後進時に作業機を自動上昇させるバックアップ制御の入切スイッチ６９、各種制御の感度を標準と鈍感に切り換える感度切替器６４等を内装している。
【００３０】
また更に、前記レバーガイドボックス３８の上段面５５には、図９に示すように、前方から順に、耕深設定器５６、ＰＴＯ入切スイッチ５７、ＰＴＯモード切替器５８、旋回モード兼ブレーキ圧設定器５９、作業機負荷制御入切スイッチ６０、エンジン回転制御入切スイッチ６１を設け、更に後方に各種作業機を取り付けたときに操作レバーを突設するための目つぶし穴６２、シガーライター６３を設ける構成となっている。
【００３１】
また前記操縦席２１の下部左右には、図１１に示すように、シートレール７０，７０を設け前後位置を変更自在に構成すると共に、この座面２１ａ下部に同座面２１ａと略同巾で且つ左右両端部を下方に折り曲げたプレート部材７１を取り付け、一側の折曲面にシートベルトロック装置７２を、他側の折曲面にシートベルト巻取装置７３を一体的に構成している。これにより、シート座面自体の強度を補強できると共に、生産時或いはメンテナンス時の取り扱いが行い易い。
【００３２】
また前記操縦席２１下方のシートパネル３６には、図１２及び図１３に示すように、メンテナンス用開口部７５を設け、この開口部７５に蓋となる大パネル７６を取り付ける構成となっている。これにより、前記ミッションケース１５上に設けたシリンダーケース８１や各種油圧バルブなどをメンテナンスする場合には、フロア全体を車体枠から取り外すことなく、容易にメンテナンス作業を行うことができる。
【００３３】
また前記大パネル７６には、前記キャビン２０のドア３４を閉じたときに、室内の空気を逃がす空気弁７７，７７…を設けている。詳細に説明すると、前記大パネル７６には、前方を開放した四角形状の凹部７８，７８…を縦横２列、計４つ開口し、この各凹部７８の開放部に、同開放部を塞ぐ一片状の弾性部材となるゴム製空気弁７７，７７…を備えたゴムプレート７９を嵌合し、前記ゴムプレート７９を金属プレート８０により挟持して固定する構成となっている。
【００３４】
尚、図中符号８２は、前記シートレール付操縦席２１を取り付けるシートブラケットを示し、８３はシート位置を調整するノブを示す。これにより、例えばキャビン２０の支柱部に空気弁を備える場合と比較して、キャビンの外観を損なうことなく開口面積を十分とることができ、前記ドア３４を閉めたときの圧迫感を低減することができる。また、前記空気弁７７…を車体前方へ向かって開閉する構成し、且つこれらを前後方向に列状に構成したので、泥土が良く付着する車体後部を洗浄する時に圧力水がかかり水が浸入する可能性を低減することができる。
【００３５】
また前記フロア３０に敷き詰めるフロアマット８５は、硬質ゴム材で形成され、図１４（左側）及び図１５に示すように、左右両側部に進入した洗浄水や雨水、泥水などをキャビンドア３４側に案内する列状の凸部８６…を形成し、この端部に滑り止め用のブロック状凸８７部を形成している。また前記フロアマット８５の下面には、スポンジ製ゴムで形成される吸音材８８（図中右側ハッチング部）を接着剤或いは両面テープにて取り付けると共に、開口部を設けて前記フロア３０より突出したボルトの頭を嵌合させてずれ止めとしている。
【００３６】
これにより、前記スポンジ製ゴム材の特徴を生かし前記フロア３０から伝達される振動或いは騒音を低減することができる上、吸音材自体をマットにより防水して、キャビン内に進入した水或いは洗浄水を円滑に車外へ排出することができる。
【００３７】
尚、マット左右両端部の符号は、バネ式フックを示し、このフックをフロア３０側に係止することでマット８５及び吸音材８８を固定する構成となっている。次に、前記キャビン２０に取り付けるフェンダー２（キャビン２０側に形成された既成のフェンダー部に装着する拡張用フェンダー）について説明する。
【００３８】
キャビン２０のフェンダー２は、ＰＰ（ポリプロピレン）材をブロー成形して形成し、図３及び図４に示すように、前記後輪１Ｒの前方から上方を覆う湾曲形状とした前フェンダー部２ａと、後輪１Ｒの上方から後方の一部を覆う円弧状の後フェンダー部２ｂとから構成されている。そして前記前フェンダー部２ａの後端を後フェンダー部２ｂの前端に嵌合して連結する構成となっている。
【００３９】
そして前記左右一側の後フェンダー部２ｂの裏面に後述するように、前記作業機Ｒを低速で昇降する昇降用スイッチ３，３（上昇用スイッチ、下降用スイッチ）を、他側の後フェンダー部２ｂの裏面には、前記作業機Ｒの左端を上下してローリング姿勢を変更するローリング用スイッチ（図示省略）を左右対称に設けている。
【００４０】
前記作業機昇降用スイッチ３について説明すると、前記後フェンダー部２ｂの裏側には、図１に示すように、前後に所定巾を有し、且つ後方へ向かって下がる傾斜状の凹部４を形成し、この凹部４後端部にスイッチ取付用の開口穴５を開口する構成となっている。
【００４１】
一方、前記スイッチ４のボディ周囲には溝部８を形成し、この溝部３ａに前記開口穴５の縁部を嵌合して、スイッチ３を開口穴５に取り付ける構成となっている。また、前記後フェンダー部２ｂ裏面の凹部４には、前記スイッチ３の一部、即ちボディ下部と、これより延設されるスイッチ３の配線６及び車体側の配線と接続するコネクタ９０を収納し、前記フェンダー２の裏面形状に沿わせた金属製蓋体７により覆う構成となっている。
【００４２】
また前記蓋体７の後部には開口部５を形成し、凹部４内に結露したり進入して溜まった水を凹部４外へ排出する構成となっている。尚、前記水抜用開口部５は、フェンダーとの接触部を一部切り欠いて形成しても良い。
【００４３】
以上のように構成した前記フェンダー２のスイッチ取付構造では、凹部４が補強用リブとしての機能を備え、特にフェンダー２に対し上下方向からかかる力に対しての強度を維持することができる。また、この凹部４内に作業機昇降用スイッチ３を取り付けたので、フェンダー表面に凹凸が形成されることを抑制し、草木の引っ掛かり或いは泥土の付着を招いたり、車体の美観を損ねることも防止できる。
【００４４】
また、フェンダー２では、この上面において、前記スイッチ３の内側側方に、前記スイッチ３の押込み面３ｂと略同高さ面を有した凸部９を形成する構成となっている。以上のように構成した前記フェンダー２のスイッチ取付構造では、前記同様、凸部９が補強用リブとしての機能を備え、特にフェンダー２に対し上下からかかる力に対しての強度を維持することができる。また、この凸部９側方に作業機昇降用スイッチ３を取り付けることにより、フェンダー面に凹凸が形成されることを抑制し、草木の引っ掛かり或いは泥土の付着を招いたり、車体の美観を損ねることも防止できる上、更に前記草木や衣類等が接触して不意に作業機が動き出すことを防止することができる。
【００４５】
尚、前記凸部９の上面は、スイッチ３による凹凸及び引っ掛かり無い程度に押込み面３ｂを低位置に配置してもよい。またフェンダー２は左右一側の作業機昇降用スイッチ３について説明したが、他側の左右ローリングスイッチについても取り付け構造は同様であるので説明を省略する。また前記フェンダー２の凹部４は、フェンダー表面或いは後面に形成し各種スイッチを取り付ける構成としても良い。
【図面の簡単な説明】
【図１】  フェンダー後部の前後断面図。
【図２】  （Ａ）フェンダー後部の平面図。
（Ｂ）フェンダー後部の左右断面図（Ｘ−Ｘ線断面図）。
【図３】  フェンダー後部の側面図。
【図４】  フェンダーの斜視図。
【図５】  トラクタの全体側面図。
【図６】  ボンネット後端部とフロントガラス間のシール部材の縦断面図。
【図７】  パネル部材の側面図。
【図８】  パネル部材の正面図。
【図９】  （Ａ）レバーガイドボックスの側面図。
（Ｂ）レバーガイドボックスの平面図。
（Ｃ）レバーガイドボックスの正面図。
【図１０】  スイッチケース内の各種スイッチのレイアウトを示す図。
【図１１】  （Ａ）操縦席の正面図。
（Ｂ）操縦席の側面図。
【図１２】  空気弁の取付方法を示す図。
【図１３】  空気弁の取付状態を示す図。
【図１４】  （Ａ）フロアマットの平面図。
（Ｂ）フロアマットの裏面図。
【図１５】  図１４のＹ−Ｙ線にあたるフロアの縦断面図。
【符号の説明】
１Ｒ  後輪
２  フェンダー
２ａ  フェンダー前部
２ｂ  フェンダー後部
３  作業機昇降用スイッチ
３ａ  溝部
３ｂ  押込面
４  フェンダー凹部
５  スイッチ取付用の開口穴
６  配線
７  蓋体
８  水抜き用の開口穴
９  フェンダー凸部
Ｔ  トラクタ
Ｒ  ロータリ作業機
【図１】
0004453219.tif 000002
【図２】
0004453219.tif 000003
【図３】
0004453219.tif 000004
【図４】
0004453219.tif 000005
【図５】
0004453219.tif 000006
【図６】
0004453219.tif 000007
【図７】
0004453219.tif 000008
【図８】
0004453219.tif 000009
【図９】
0004453219.tif 000010
【図１０】
0004453219.tif 000011
【図１１】
0004453219.tif 000012
【図１２】
0004453219.tif 000013
【図１３】
0004453219.tif 000014
【図１４】
0004453219.tif 000015
【図１５】
0004453219.tif 000016